(57)【要約】【課題】利用者が、他の利用者が変更した設定値を用いて表示装置を使い始めることを抑制できる技術を提供する。【解決手段】表示装置は、第１入力部と第２入力部を含む複数の入力部の少なくとも一つの入力部からの画像情報に基づく画像を表示面に表示する表示部と、表示装置の動作に関する設定情報に基づき表示装置を制御して表示部に画像を表示させ、また、設定情報を変更する第１指示に応じて設定情報を第１設定情報から第２設定情報に変更する制御部を有する。制御部は、設定情報を第１設定情報から第２設定情報に変更しかつ表示部に第１入力部からの第１画像情報に基づく第１画像を表示させている状態で、表示部に第２入力部からの第２画像情報に基づく第２画像を表示させる第２指示を受け取ると、設定情報を第２設定情報から第１設定情報に変更しかつ表示部に第２画像を表示させる。【選択図】図２
2018159847.tif 000002
【特許請求の範囲】
【請求項１】
表示装置であって、
第１入力部および第２入力部を含む複数の入力部と、
前記複数の入力部のうち少なくとも一つの入力部から入力される画像情報に基づく画像を表示面に表示する表示部と、
前記表示装置の動作に関する設定情報に基づいて前記表示装置を制御して前記表示部に前記画像を表示させ、また、前記設定情報を変更する第１指示に応じて前記設定情報を第１設定情報から第２設定情報に変更する制御部と、
を有し、
前記制御部は、前記設定情報を前記第１設定情報から前記第２設定情報に変更しかつ前記表示部に前記第１入力部から入力される第１画像情報に基づく第１画像を表示させている状態で、前記表示部に前記第２入力部から入力される第２画像情報に基づく第２画像を表示させる第２指示を受け取ると、前記設定情報を前記第２設定情報から前記第１設定情報に変更しかつ前記表示部に前記第２画像を表示させることを特徴とする表示装置。
【請求項２】
前記設定情報が前記第１設定情報から前記第１設定情報とは異なる情報に変更される頻度が閾値を超える場合に、前記第１設定情報を変更する変更部をさらに有することを特徴とする請求項１に記載の表示装置。
【請求項３】
前記変更部は、前記異なる情報に基づいて前記第１設定情報を変更することを特徴とする請求項２に記載の表示装置。
【請求項４】
前記制御部は、前記第１設定情報を設定するための第１設定画面と、前記第２設定情報を設定するための第２設定画面とを、前記表示部に表示させることを特徴とする請求項１から３のいずれか１項に記載の表示装置。
【請求項５】
前記第１設定画面は、第１の設定項目について前記第１設定情報を設定するための部分画像と、第２の設定項目について前記第１設定情報を設定するための部分画像とを含む画面であり、
前記第２設定画面は、前記第１の設定項目について前記第２設定情報を設定するための部分画像を含み、前記第２の設定項目について前記第２設定情報を設定するための部分画像は含まない画面であることを特徴とする請求項４に記載の表示装置。
【請求項６】
前記表示部は、前記第２設定画面において前記第１設定情報を変更する操作が行われた際に第３画像を前記表示面に表示することを特徴とする請求項４または５に記載の表示装置。
【請求項７】
前記制御部は、前記状態で前記第２指示を受け取ると、
前記表示装置の動作モードが第１モードである場合には、前記設定情報を前記第２設定情報から前記第１設定情報に変更しかつ前記表示部に前記第２画像を表示させ、
前記動作モードが第２モードである場合には、前記設定情報を前記第２設定情報に維持しかつ前記表示部に前記第２画像を表示させることを特徴とする請求項１から６のいずれか１項に記載の表示装置。
【請求項８】
第１入力部および第２入力部を含む複数の入力部を含む表示装置の制御方法であって、
前記複数の入力部のうち少なくとも一つの入力部から入力される画像情報に基づく画像を表示面に表示するステップと、
前記表示装置の動作に関する設定情報に基づいて前記表示装置を制御して前記画像を前記表示面に表示するステップと、
前記設定情報を変更する第１指示に応じて前記設定情報を第１設定情報から第２設定情報に変更するステップと、
前記設定情報を前記第１設定情報から前記第２設定情報に変更しかつ前記第１入力部から入力される第１画像情報に基づく第１画像を前記表示面に表示している状態で、前記第２入力部から入力される第２画像情報に基づく第２画像を前記表示面に表示する第２指示を受け取ると、前記設定情報を前記第２設定情報から前記第１設定情報に変更しかつ前記前記第２画像を前記表示面に表示するステップと、を有することを特徴とする表示装置の制御方法。
【発明の詳細な説明】
【技術分野】
【０００１】
本発明は、表示装置および表示装置の制御方法に関する。
【背景技術】
【０００２】
プロジェクター等の表示装置では、画像のコントラストなどの設定値は、多くの利用者が好むと想定される基準値に予め設定されていることが多い。この設定値は、視聴環境および利用者の好みに応じて、利用者によって変更されることがある。特許文献１には、利用者種別ごとに、ＵＩ（ユーザーインターフェース）の設定値の変更に関する統計値を生成し、この統計値に応じてＵＩの設定値を自動的に変更する技術が記載されている。
【先行技術文献】
【特許文献】
【０００３】
【特許文献１】特開２０１６−２９５５０号公報
【発明の概要】
【発明が解決しようとする課題】
【０００４】
特許文献１に記載の技術を用いて表示装置のすべての設定値を自動的に変更する場合、利用者種別ごとにすべての設定値について統計値を生成する必要が生じてしまう。そこで、一部の設定値についてのみ、統計値を用いて自動的に更新することが考えられる。
しかしながら、自動的に更新されない設定値は、当初は基準値に設定されていても、複数の利用者が代わる代わる表示装置を使用する間に変更されていく可能性がある。このため、表示装置の利用者は、他の利用者の好み等に応じて変更された設定値を用いて表示装置を使い始めなければならなかった。
【０００５】
本発明は上述した事情に鑑みてなされたものであり、利用者が、他の利用者が変更した設定値を用いて表示装置を使い始めることを抑制できる技術を提供することを解決課題とする。
【課題を解決するための手段】
【０００６】
本発明に係る表示装置の一態様は、表示装置であって、第１入力部および第２入力部を含む複数の入力部と、前記複数の入力部のうち少なくとも一つの入力部から入力される画像情報に基づく画像を表示面に表示する表示部と、前記表示装置の動作に関する設定情報に基づいて前記表示装置を制御して前記表示部に前記画像を表示させ、また、前記設定情報を変更する第１指示に応じて前記設定情報を第１設定情報から第２設定情報に変更する制御部と、を有し、前記制御部は、前記設定情報を前記第１設定情報から前記第２設定情報に変更しかつ前記表示部に前記第１入力部から入力される第１画像情報に基づく第１画像を表示させている状態で、前記表示部に前記第２入力部から入力される第２画像情報に基づく第２画像を表示させる第２指示を受け取ると、前記設定情報を前記第２設定情報から前記第１設定情報に変更しかつ前記表示部に前記第２画像を表示させることを特徴とする。
画像情報が入力される複数の入力部を有する表示装置では、利用者によって、複数の入力部の中から入力部が選択され、この選択された入力部に入力された画像情報が表示のために使用される。このため、利用者が切り替わる場合、複数の入力部の中から選択される入力部も切り替えられる可能性がある。
この態様によれば、表示に使用される画像情報が入力される入力部を第１入力部から第２入力部に切り替えるための指示に応じて、設定情報が、変更後の第２設定情報から変更前の第１設定情報に変更される。このため、利用者が、他の利用者が変更した設定情報（第２設定情報）を用いて表示装置を使い始めることを抑制できる。
【０００７】
上述した表示装置の一態様において、前記設定情報が前記第１設定情報から前記第１設定情報とは異なる情報に変更される頻度が閾値を超える場合に、前記第１設定情報を変更する変更部をさらに有することが望ましい。
設定情報を第１設定情報から第１設定情報とは異なる情報に変更する頻度が高い場合、第１設定情報が適切でない可能性がある。このため、この態様によれば、適切でない可能性のある第１設定情報を自動的に変更することが可能になる。
【０００８】
上述した表示装置の一態様において、前記変更部は、前記異なる情報に基づいて前記第１設定情報を変更することが望ましい。
この態様によれば、第１設定情報が変更後の情報に基づいて変更されるため、第１設定情報が適切な情報に変更されやすくなる。
【０００９】
上述した表示装置の一態様において、前記制御部は、前記第１設定情報を設定するための第１設定画面と、前記第２設定情報を設定するための第２設定画面とを、前記表示部に表示させることが望ましい。
この態様によれば、第１設定情報を設定する画面と、第２設定情報を設定する画面が異なっているため、第１設定情報と第２設定情報とを間違えて設定してしまうことを抑制可能になる。
【００１０】
上述した表示装置の一態様において、前記第１設定画面は、第１の設定項目について前記第１設定情報を設定するための部分画像と、第２の設定項目について前記第１設定情報を設定するための部分画像とを含む画面であり、前記第２設定画面は、前記第１の設定項目について前記第２設定情報を設定するための部分画像を含み、前記第２の設定項目について前記第２設定情報を設定するための部分画像は含まない画面であることが望ましい。
この態様によれば、第１設定情報は設定されるが第２設定情報は設定されない設定項目を設けることが可能になる。このため、第１設定情報から第２設定情報に変更されない設定項目を設けることが可能になる。
【００１１】
上述した表示装置の一態様において、前記表示部は、前記第２設定画面において前記第１設定情報を変更する操作が行われた際に第３画像を前記表示面に表示することが望ましい。
この態様によれば、第２設定画面で第１設定情報を変更するという特殊な操作が行われた際に、第３画面を表示するので、利用者に注意を与えることが可能になる。
【００１２】
上述した表示装置の一態様において、前記制御部は、前記状態で前記第２指示を受け取ると、前記表示装置の動作モードが第１モードである場合には、前記設定情報を前記第２設定情報から前記第１設定情報に変更しかつ前記表示部に前記第２画像を表示させ、前記動作モードが第２モードである場合には、前記設定情報を前記第２設定情報に維持しかつ前記表示部に前記第２画像を表示させることが望ましい。
この態様によれば、設定情報を第２設定情報から第１設定情報に変更するか、設定情報を第２設定情報に維持するかを、動作モードに応じて切り替えることが可能になる。
【００１３】
本発明に係る表示装置の制御方法の一態様は、第１入力部および第２入力部を含む複数の入力部を含む表示装置の制御方法であって、前記複数の入力部のうち少なくとも一つの入力部から入力される画像情報に基づく画像を表示面に表示するステップと、前記表示装置の動作に関する設定情報に基づいて前記表示装置を制御して前記画像を前記表示面に表示するステップと、前記設定情報を変更する第１指示に応じて前記設定情報を第１設定情報から第２設定情報に変更するステップと、前記設定情報を前記第１設定情報から前記第２設定情報に変更しかつ前記第１入力部から入力される第１画像情報に基づく第１画像を前記表示面に表示している状態で、前記第２入力部から入力される第２画像情報に基づく第２画像を前記表示面に表示する第２指示を受け取ると、前記設定情報を前記第２設定情報から前記第１設定情報に変更しかつ前記前記第２画像を前記表示面に表示するステップと、を有することを特徴とする。
この態様によれば、利用者が、他の利用者が変更した設定情報を用いて表示装置を使い始めることを抑制できる。
【図面の簡単な説明】
【００１４】
【図１】第１実施形態に係る表示装置の一例のプロジェクター１００を示した図である。
【図２】プロジェクター１００の一例を示した図である。
【図３】設定情報記憶部５２が記憶する設定情報の一例を示した図である。
【図４】第１設定画面Ｉ１の一例を示した図である。
【図５】第２設定画面Ｉ２の一例を示した図である。
【図６】投射部７の一例を示した図である。
【図７】受付部４が切替指示を受け付けたときの動作を説明する。
【図８】変更部６５を含むプロジェクター１００Ａの一例を示した図である。
【発明を実施するための形態】
【００１５】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１６】
＜第１実施形態＞
図１は、第１実施形態に係る表示装置の一例であるプロジェクター１００を示した図である。プロジェクター１００は、入力端子１と入力端子２と通信部３とを含んでいる。入力端子１は、第１入力部の一例である。入力端子２は、第２入力部の一例である。通信部３は、第２入力部の他の例である。入力端子１と入力端子２と通信部３とは、複数の入力部の一例である。なお、複数の入力部の数は「３」に限らず「２」以上であればよい。
【００１７】
入力端子１には、ＰＣ（パーソナルコンピューター）２００から画像情報Ａが入力される。画像情報Ａは、第１画像情報の一例である。入力端子２には、ＰＣ３００から画像情報Ｂが入力される。画像情報Ｂは、第２画像情報の一例である。通信部３には、ＬＡＮ（Local Area Network）等の通信回線４００を介してＰＣ５００から画像情報Ｃが入力される。画像情報Ｃは、第２画像情報の他の例である。画像情報の供給元は、ＰＣに限らず適宜変更可能である。画像情報は、音情報を伴ってもよい。以下では、画像情報Ａ〜Ｃは、それぞれ、音情報を伴っているものとする。
【００１８】
プロジェクター１００は、受付部４が利用者から受け付けた切替指示（画像情報の入力元を切り替えることでプロジェクター１００が投射する画像を変更する指示）に応じて、表示に用いる画像情報（以下「表示対象画像情報」と称する）を画像情報Ａ〜Ｃの中で切り替える。
【００１９】
例えば、プロジェクター１００は、入力端子１から入力されている画像情報Ａが表示対象画像情報である状況で、画像情報の入力元を入力端子２に切り替える旨の切替指示を受け取ると、表示対象画像情報を、画像情報Ａから画像情報Ｂに切り替える。そして、プロジェクター１００は、表示対象画像情報（画像情報Ｂ）に基づく画像を投射部７から投射面１０に投射して表示する。投射面１０は、表示面の一例である。
【００２０】
プロジェクター１００は、プロジェクター１００の動作に関する設定情報（例えば、画像の明るさに関する設定情報）に基づいて動作する。プロジェクター１００は、受付部４が利用者から受け付けた変更指示に応じて設定情報を変更する。変更指示は、設定情報を変更する第１指示の一例である。
【００２１】
プロジェクター１００は、変更指示に応じて設定情報を変更した後に、受付部４が切替指示を受け付けると、設定情報を変更前の設定情報に戻し、表示対象画像情報を切り替える。
【００２２】
例えば、プロジェクター１００は、変更指示に応じて設定情報を第１設定情報から第２設定情報に変更しかつ画像情報Ａに基づく画像を投射面１０に投射して表示している状態で、受付部４が、画像情報Ｂに基づく画像を投射部７に投射させる切替指示を受け付けると、設定情報を第２設定情報から第１設定情報に変更し、かつ、画像情報Ｂに基づく画像を投射部７に投射させる。
【００２３】
ここで、画像情報Ａに基づく画像は、第１画像の一例である。画像情報Ｂに基づく画像は、第２画像の一例である。画像情報Ｂに基づく画像（第２画像）を投射部７に投射させる切替指示は、第２指示の一例である。
【００２４】
図２は、プロジェクター１００の一例を示した図である。プロジェクター１００は、上述した入力端子１および２と通信部３に加えて、受付部４と、記憶部５と、処理部６と、投射部７と、音出力部８と、を含む。
【００２５】
受付部４は、利用者の入力（例えば、切替指示および変更指示）等を受け付ける各種の操作ボタン、操作キー、またはタッチパネル等である。受付部４は、利用者から受け付けた入力を無線または有線で送信するリモートコントローラー等であってもよい。その場合、プロジェクター１００は、リモートコントローラーが送信した情報を受信する受信部を備える。なお、リモートコントローラーは、利用者の入力を受け付ける各種の操作ボタン、操作キー、またはタッチパネル等を備える。
【００２６】
記憶部５は、コンピューター読み取り可能な記録媒体である。記憶部５は、プログラム記憶部５１と、設定情報記憶部５２と、画像情報記憶部５３と、動作モード記憶部５４と、を含む。
【００２７】
プログラム記憶部５１は、プロジェクター１００の動作を規定するプログラムを記憶する。
【００２８】
設定情報記憶部５２は、プロジェクター１００の動作に関する種々の設定情報を記憶する。図３は、設定情報記憶部５２が記憶する設定情報の一例を示した図である。設定情報記憶部５２は、設定情報の項目（設定項目）として、音量、カラーモード、台形歪補正値、およびＩＰ（Internet Protocol）アドレスを記憶している。なお、設定情報の項目（設定項目）は、音量、カラーモード、台形歪補正値、およびＩＰアドレスに限らず適宜変更可能である。
【００２９】
設定情報記憶部５２は、音量、カラーモード、台形歪補正値、およびＩＰアドレスの項目について、それぞれ、基準値として機能する第１設定情報を記憶している。第１設定情報は、例えば、プロジェクター１００の管理者（以下、単に「管理者」と称する）によって設定される。第１設定情報は、多くの利用者が好むと想定される情報（値）に設定されている。音量、カラーモード、台形歪補正値、およびＩＰアドレスは、複数の設定項目の一例である。第１設定情報は、すべての項目について設定される。
【００３０】
設定情報記憶部５２は、音量、カラーモード、および台形歪補正値の項目については、それぞれ、第２設定情報を記憶している。第２設定情報は、例えば、プロジェクター１００の利用者（以下、単に「利用者」と称する）によって設定される。音量、カラーモード、および台形歪補正値は、複数の設定項目の一部の一例である。第２設定情報が設定される項目は、適宜変更可能であり、例えば、音量、カラーモード、および台形歪補正値の少なくとも１つであればよい。
【００３１】
画像情報記憶部５３は、種々の画像情報（例えば、第１設定情報を設定するための第１設定画面を示す第１設定画面情報と、第２設定情報を設定するための第２設定画面を示す第２設定画面情報）を記憶する。
【００３２】
図４は、第１設定画面Ｉ１の一例を示した図である。第１設定画面Ｉ１は、管理者向けのＧＵＩ（Graphical User Interface）として機能する。管理者は、受付部４を用いて第１設定画面Ｉ１を操作することによって第１設定情報を設定する。
【００３３】
例えば、管理者は、受付部４を用いて映像ボタンＩ１１を操作することで、カラーモードＩ１２の第１設定情報（図３では「ＣＣ」で示されている）を設定する。管理者は、受付部４を用いて信号ボタンＩ１３を操作することで、台形歪補正値の第１設定情報（図３では「ＥＥ」で示されている）を設定する。管理者は、受付部４を用いて設定ボタンＩ１４を操作することで、音量の第１設定情報（図３では「ＡＡ」で示されている）を設定する。管理者は、受付部４を用いてネットワークボタンＩ１５を操作することで、ＩＰアドレスの第１設定情報（図３では「ＧＧ」で示されている）を設定することが可能になる。ここで、カラーモードや、台形歪補正値、音量は第１の設定項目の一例であり、映像ボタンＩ１１や、信号ボタンＩ１３、設定ボタンＩ１４は、第１の設定項目について第１設定情報を設定するための部分画像の一例である。また、ＩＰアドレスは第２の設定項目の一例であり、ネットワークボタンＩ１５は、第２の設定項目について第１設定情報を設定するための部分画像の一例である。
【００３４】
図５は、第２設定画面Ｉ２の一例を示した図である。第２設定画面Ｉ２は、利用者向けのＧＵＩとして機能する。利用者は、受付部４を用いて第２設定画面Ｉ２を操作することによって第２設定情報を設定する。
【００３５】
例えば、利用者は、受付部４を用いて台形歪補正ボタンＫ１を操作することで、台形歪補正値の第２設定情報（図３では「ＦＦ」で示されている）を設定する。利用者は、受付部４を用いてカラーモードボタンＫ２を操作することで、カラーモードの第２設定情報（図３では「ＤＤ」で示されている）を設定する。利用者は、受付部４を用いて音量ボタンＫ３を操作することで、音量の第２設定情報（図３では「Ｂ」で示されている）を設定する。ここで、台形歪補正ボタンＫ１や、カラーモードボタンＫ２、音量ボタンＫ３は、第１の設定項目について第２情報を設定するための部分画像の一例である。
なお、第２設定画面Ｉ２では、ＩＰアドレスを変更することはできない。
【００３６】
また、利用者は、受付部４を用いて入力端子１に対応する選択ボタンＪ１を操作することで、表示対象画像情報の入力元を入力端子１に切り替える切替指示を入力する。利用者は、受付部４を用いて入力端子２に対応する選択ボタンＪ２を操作することで、表示対象画像情報の入力元を入力端子２に切り替える切替指示を入力する。利用者は、受付部４を用いて通信部３（ＬＡＮ）に対応する選択ボタンＪ３を操作することで、表示対象画像情報の入力元を通信部３に切り替える切替指示を入力する。
【００３７】
図２に戻って、動作モード記憶部５４は、プロジェクター１００の動作モードを記憶する。プロジェクター１００は、動作モードとして、複数の利用者がプロジェクター１００を共有する「共有モード」と、１人の利用者がプロジェクター１００を専有する「専有モード」と、を有する。処理部６（具体的には、後述する制御部６４）は、受付部４が受け付けた動作モード設定指示に応じて、動作モードを設定する。「共有モード」は第１モードの一例であり、「専有モード」は第２モードの一例である。
【００３８】
処理部６は、ＣＰＵ（Central Processing Unit）等のコンピューターである。処理部６は、プログラム記憶部５１に記憶されたプログラムを読み取り実行することによって、選択部６１、画像処理部６２、音処理部６３、および制御部６４を実現する。なお、一つのＣＰＵ（又は半導体チップ）で、選択部６１、画像処理部６２、音処理部６３、および制御部６４を実現してもよいし、複数のＣＰＵ（又は半導体チップ）を用いて選択部６１、画像処理部６２、音処理部６３、および制御部６４を実現してもよい。
【００３９】
選択部６１は、入力端子１から入力される画像情報Ａと、入力端子２から入力される画像情報Ｂと、通信部３から入力される画像情報Ｃとの中から、表示対象画像情報を選択する。
上述したように画像情報Ａ〜Ｃの各々は音情報を伴っているため、表示対象画像情報も音情報を伴っている。選択部６１は、表示対象画像情報が伴っていた音情報を音処理部６３に出力し、音情報を除いた表示対象画像情報を画像処理部６２に出力する。
【００４０】
画像処理部６２は、表示対象画像情報に対して画像処理（例えば、台形歪補正、輝度調整、コントラスト調整、色合い調整、およびシャープネス調整）を実行して画像信号を生成する。本実施形態では、輝度調整、コントラスト調整、色合い調整、およびシャープネス調整の組合せを「カラーモード」として表している。
音処理部６３は、音情報について音量を調整して音信号を生成する。
【００４１】
制御部６４は、プロジェクター１００を制御する。
例えば、制御部６４は、第１設定画面Ｉ１を用いて受付部４が受け付けた第１設定情報を設定情報記憶部５２に格納する。また、制御部６４は、第２設定画面Ｉ２を用いて受付部４が受け付けた第２設定情報を設定情報記憶部５２に格納する。
制御部６４は、設定情報記憶部５２に格納された第１設定情報を用いて、画像処理部６２と音処理部６３と通信部３との各々に設定情報を設定する。
制御部６４は、変更指示に応じて、画像処理部６２と音処理部６３の各々の設定情報を第１設定情報から第２設定情報に変更する。
制御部６４は、切替指示に応じて、画像処理部６２と音処理部６３の各々の設定情報を変更前の設定情報（第１設定情報）に戻し、かつ、投射面１０に表示される画像を切り替える。
【００４２】
投射部７は、表示部の一例である。表示部には、投射面１０は含まれない。投射部７は、画像処理部６２が出力した画像信号に応じた画像を投射面１０に投射して表示する。
図６は、投射部７の一例を示した図である。投射部７は、光源１１と、光変調装置の一例である３つの液晶ライトバルブ１２（１２Ｒ，１２Ｇ，１２Ｂ）と、投射光学系の一例である投射レンズ１３と、ライトバルブ駆動部１４等を含む。投射部７は、光源１１から射出された光を液晶ライトバルブ１２で変調して投射画像（画像光）を形成し、この投射画像を投射レンズ１３から拡大投射する。
【００４３】
光源１１は、キセノンランプ、超高圧水銀ランプ、ＬＥＤ（Light Emitting Diode）、またはレーザー光源等からなる光源部１１ａと、光源部１１ａが放射した光の方向のばらつきを低減するリフレクター１１ｂとを含む。光源１１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１２Ｒ，１２Ｇ，１２Ｂに入射する。
【００４４】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されている。液晶ライトバルブ１２では、液晶に対して画素１２ｐごとに駆動電圧を印加することが可能である。ライトバルブ駆動部１４が、画像処理部６２から入力される画像信号に応じた駆動電圧を各画素１２ｐに印加すると、各画素１２ｐは、画像信号に応じた光透過率に設定される。このため、光源１１から射出された光は、画素領域１２ａを透過することで変調され、画像信号に応じた画像が色光ごとに形成される。
【００４５】
各色の画像は、図示しない色合成光学系によって画素１２ｐごとに合成され、カラー画像光（カラー画像）である投射画像光（投射画像）が生成される。投射画像光は、投射レンズ１３によって投射面１０に拡大投射される。
【００４６】
図２に戻って、音出力部８は、例えばスピーカーであり、音処理部６３が出力した音信号に応じた音を出力する。
【００４７】
次に、動作を説明する。
例えば、設定情報記憶部５２に、第１設定情報は記憶されているが、第２設定情報は記憶されていない状況で、プロジェクター１００が動作を開始すると、制御部６４は、設定情報記憶部５２に記憶されている第１設定情報（図３参照）を、設定情報として、画像処理部６２、音処理部６３、および通信部３に設定する。
【００４８】
具体的には、制御部６４は、音量の第１設定情報ＡＡを、音量の設定情報として音処理部６３に設定する。また、制御部６４は、カラーモードの第１設定情報ＣＣを、カラーモードの設定情報として画像処理部６２に設定し、台形歪補正値の第１設定情報ＥＥを、台形歪補正値の設定情報として画像処理部６２に設定する。また、制御部６４は、ＩＰアドレスの第１設定情報ＧＧを、ＩＰアドレスの設定情報として通信部３に設定する。
【００４９】
この状況で、例えば、第２設定画面Ｉ２において選択ボタンＪ１が操作されると、制御部６４は、選択部６１に、表示対象画像情報として画像情報Ａを選択させる。続いて、選択部６１は、画像情報Ａが伴っていた音情報を音処理部６３に出力し、音情報を除いた画像情報Ａを画像処理部６２に出力する。
【００５０】
音処理部６３は、選択部６１から受け取った音情報に対して、音量についての第１設定情報ＡＡに応じた処理を施して音信号を生成し、音出力部８は、この音信号に応じた音を出力する。
【００５１】
画像処理部６２は、画像情報Ａに対して、カラーモードについての第１設定情報ＣＣと台形歪補正値についての第１設定情報ＥＥとに応じた画像処理を施して画像信号を生成し、投射部７は、この画像信号に応じた画像を投射する。
【００５２】
その後、利用者が、受付部４を操作して、第２設定画面Ｉ２を通じて、ある項目の第１設定情報を第２設定情報に変更するための変更指示を入力すると、制御部６４は、その項目の第２設定情報を、設定情報記憶部５２に記憶する。以下では、説明の簡略化のため、カラーモードの第２設定情報ＤＤが、設定情報記憶部５２に記憶されたとする。
【００５３】
この場合、制御部６４は、画像処理部６２に設定されているカラーモードの設定情報を第１設定情報ＣＣから第２設定情報ＤＤに変更する。このため、画像処理部６２は、台形歪補正値については第１設定情報ＥＥを設定情報として用い、カラーモードについては第２設定情報ＤＤを設定情報として用いて、画像情報Ａに対して画像処理を施して画像信号を生成し、投射部７は、この画像信号に応じた画像を投射する。すなわち、制御部６４は、画像処理部６２に設定されているカラーモードの設定情報を第１設定情報ＣＣから第２設定情報ＤＤに変更することによって、投射部７に、画像情報Ａに基づく画像を投射面１０に表示させる。以下、このときの状態を「第１状態」と称する。
【００５４】
次に、受付部４が切替指示を受け付けたときの動作を説明する。図７は、この動作を説明するためのフローチャートである。図７に示された動作は、繰り返し実行される。
【００５５】
例えば、プロジェクター１００（制御部６４）が第１状態であるときに、利用者が交代し、新たな利用者が受付部４を操作して第２設定画面Ｉ２上の選択ボタンＪ２またはＪ３を操作したとする。この場合、受付部４は切替指示を受け付け、この切替指示を制御部６４に出力する。
【００５６】
制御部６４は、切替指示を受け付けると（ステップＳ１：ＹＥＳ）、動作モード記憶部５４を参照して、動作モードが共有モードであるか否かを判断する（ステップＳ２）。
【００５７】
動作モードが共有モードである場合（ステップＳ２：ＹＥＳ）、他の利用者が第２設定情報を設定した可能性があるため、制御部６４は、設定情報記憶部５２の第２設定情報を削除する（ステップＳ３）。
【００５８】
続いて、制御部６４は、設定情報記憶部５２に記憶されている第１設定情報を、設定情報として、通信部３と画像処理部６２と音処理部６３とに設定する（ステップＳ４）。
【００５９】
具体的には、制御部６４は、音量の第１設定情報ＡＡを、音量の設定情報として音処理部６３に設定する。また、制御部６４は、カラーモードの第１設定情報ＣＣをカラーモードの設定情報として画像処理部６２に設定し、台形歪補正値の第１設定情報ＥＥを台形歪補正値の設定情報として画像処理部６２に設定する。また、制御部６４は、ＩＰアドレスの第１設定情報ＧＧを、ＩＰアドレスの設定情報として通信部３に設定する。
【００６０】
続いて、制御部６４は、選択部６１に、切替指示に応じた画像情報を表示対象画像情報として選択させて、表示対象画像情報を切り替える（ステップＳ５）。ここで、ステップＳ１で選択ボタンＪ２が操作された場合、切替指示に応じた画像情報は画像情報Ｂとなり、ステップＳ１で選択ボタンＪ３が操作された場合、切替指示に応じた画像情報は画像情報Ｃとなる。
【００６１】
続いて、選択部６１は、切替指示に応じた画像情報が伴っていた音情報を音処理部６３に出力し、音情報を除いた画像情報を画像処理部６２に出力する。音処理部６３は、選択部６１から受け取った音情報に対して、第１設定情報に応じた処理を施して音信号を生成し、音出力部８は、この音信号に応じた音を出力する。画像処理部６２は、ステップＳ５で切り替えられた表示対象画像情報に対して、第１設定情報に応じた画像処理を施して画像信号を生成し、投射部７は、この画像信号に応じた画像を投射する（ステップＳ６）。
【００６２】
ステップＳ１で切替指示が受け付けられていない場合（ステップＳ１：ＮＯ）、図７に示した処理が終了する。また、ステップＳ２で動作モードが専有モードである場合（ステップＳ２：ＮＯ）、処理がステップＳ５に移る。そして、ステップＳ５の処理の後、選択部６１は、切替指示に応じた画像情報が伴っていた音情報を音処理部６３に出力し、音情報を除いた画像情報を画像処理部６２に出力する。音処理部６３は、選択部６１から受け取った音情報に対して、第２設定情報が設定されている場合には、第２設定情報に応じた処理を施し、第２設定情報が設定されていない場合には、第１設定情報に応じた処理を施して音信号を生成し、音出力部８は、この音信号に応じた音を出力する。画像処理部６２は、ステップＳ５で切り替えられた表示対象画像情報に対して、第２設定情報が設定されている場合には、第２設定情報に応じた画像処理を施し、第２設定情報が設定されていない場合には、第１設定情報に応じた画像処理を施して画像信号を生成し、投射部７は、この画像信号に応じた画像を投射する。
【００６３】
本実施形態のプロジェクター１００およびプロジェクター１００の制御方法によれば、利用者が、他の利用者が変更した設定情報を用いてプロジェクター１００を使い始めることを抑制できる。
【００６４】
また、切替指示に応じて表示対象画像情報が切り替えられる場合、表示対象画像情報に基づく画像のジャンル（例えば、映画やプレゼンテーション用画像）が替わる可能性がある。このため、本実施形態によれば、表示される画像のジャンルが変更される可能性がある場合に、設定情報を第１設定情報（基準値）に戻すことが可能になる。
【００６５】
本実施形態では、動作モードに応じて、変更後の設定情報（第２設定情報）を変更前の設定情報（第１設定情報）に戻すか否かが決定される。
このため、プロジェクター１００が共有される場合には、動作モードが「共有モード」に設定されることで、利用者が、他の利用者が変更した設定情報を用いてプロジェクター１００を使い始めることを抑制できる。
また、プロジェクター１００が１人の利用者によって専有される場合、動作モードが「専有モード」に設定されることで、切替指示が発生しても変更後の設定情報を維持することができる。よって、１人の利用者が、同じ設定情報について同様の変更を繰り返し行うことを抑制することが可能になる。
【００６６】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００６７】
＜変形例１＞
第１設定情報を設定するためのＧＵＩは、図４に示した第１設定画面Ｉ１に限らず適宜変更可能である。また、第２設定情報を設定するためのＧＵＩは、図５に示した第２設定画面Ｉ２に限らず適宜変更可能である。
【００６８】
＜変形例２＞
第１設定情報および第２設定情報の両方または一方は、ＧＵＩとは異なる設定部によって設定されてもよい。例えば、ＧＵＩとは異なる設定部として、第１設定情報および第２設定情報の両方または一方を、外部から通信された指示に応じて設定する設定部が用いられてもよい。
【００６９】
また、ＧＵＩとは異なる設定部として、設定情報の変更履歴に基づいて第１設定情報を自動的に更新する変更部が用いられてもよい。
例えば、管理者が基準値として設定した第１設定情報が、必ずしも利用者が望む設定情報でない可能性がある。この場合、利用者は、プロジェクター１００を利用する度に第２設定画面Ｉ２を用いて設定情報を第１設定情報から第２設定情報に変更する必要がある。また、このような状況では、管理者は、利用者の要請を受けて第１設定画面Ｉ１を用いて第１設定情報（基準値）を変更することにもなる。このため、利用者、さらには管理者にも、変更作業が必要となる。
これに対して、設定情報の変更履歴に基づいて第１設定情報を自動的に更新する変更部が用いられると、利用者、さらには管理者の変更作業を軽減することが可能になる。
【００７０】
図８は、第１設定情報を設定情報の変更履歴に基づいて変更する変更部６５を含むプロジェクター１００Ａの一例を示した図である。図８において、図１に示したものと同一構成のものには同一符号を付してある。
【００７１】
変更部６５は、処理部６が、プログラム記憶部５１に記憶されているプログラムを実行することによって実現される。変更部６５は、設定情報が第１設定情報から第２設定情報（第１設定情報とは異なる情報）に変更される頻度が閾値を超える場合に、第１設定情報を変更する。例えば、変更部６５は、第２設定情報に基づいて第１設定情報を変更する。
【００７２】
一例を挙げると、変更部６５は、設定情報の項目（図３参照）ごとに、第２設定情報の変更履歴を記憶部５に格納する。また、変更部６５は、プロジェクター１００Ａの起動の履歴も記憶部５に格納する。
【００７３】
変更部６５は、第２設定情報の変更履歴およびプロジェクター１００Ａの起動の履歴を参照して、項目ごとに、設定情報を第１設定情報から第２設定情報に変更する頻度（以下「変更頻度」と称する）を算出する。例えば、変更部６５は、ｎ（ｎは１以上の整数）日間での変更頻度として、「ｎ日間での第２設定情報の設定回数」／「ｎ日間でのプロジェクター１００Ａの起動回数」を、項目ごとに算出する。
【００７４】
続いて、変更部６５は、項目ごとに、変更頻度が閾値（例えば、０．８）を超えているか否かを判断する。なお、閾値は、０．８に限らず適宜変更可能であり、また、項目ごとに個別に設定されてもよい。続いて、変更部６５は、変更頻度が閾値を超えている項目について、その項目の第１設定情報を、例えば、ｎ日間に設定された第２設定情報の平均値に変更する。変更後の第１設定情報は、ｎ日間に設定された第２設定情報の平均値に限らず適宜変更可能である。
【００７５】
図８に示したプロジェクター１００Ａでは、第１設定情報が変更後の情報（第２設定情報）に基づいて変更されるため、第１設定情報が適切な情報に変更されやすくなる。
【００７６】
＜変形例３＞
第１設定情報および第２設定情報の両方または一方を設定できる人物を限定するために、第１設定情報および第２設定情報の両方または一方を設定できる人物を認証する手法が付加されてもよい。この場合、例えば、第１設定画面Ｉ１を操作できる人物、すなわち、第１設定情報を設定および変更できる人物を、管理者権限を有する管理者に限定することが可能になる。
【００７７】
また、利用者がパスワード等の認証によって管理者権限を一時的に取得した場合に、制御部６４は、第２設定画面Ｉ２上で第１設定情報が変更されることを許可してもよい。
制御部６４は、管理者権限を有していない利用者が、受付部４を用いて第２設定画面Ｉ２上で第１設定情報を変更する操作を行った場合、画像処理部６２に、警告を表すダイアログボックスに応じたダイアログボックス画像情報を出力して、そのダイアログボックスを投射部７に投射させてもよい。なお、ダイアログボックスが表す内容は、警告に限らず適宜変更可能であり、例えば、管理者権限が必要である旨の説明でもよい。また、制御部６４は、ダイアログボックスの代わりに、管理者向けの認証手順を示す画面を投射部７に投射させてもよい。この場合、ダイアログボックスおよび管理者向けの認証手順を示す画面は、それぞれ、第３画像の一例となる。
【００７８】
＜変形例４＞
図７に示した動作において、ステップＳ２が省略され、ステップＳ１において切替指示が受け付けられた際に（ステップＳ１：ＹＥＳ）、ステップＳ３が実行されてもよい。この場合、動作モード記憶部５４も省略可能である。
【００７９】
＜変形例５＞
入力端子１の代わりに通信部が用いられてもよいし、通信部３の代わりに入力端子が用いられてもよい。
【００８０】
＜変形例６＞
選択部６１は、２以上の画像情報を、表示対象画像情報として選択してもよい。この場合、画像処理部６２は、２以上の表示対象画像情報の各々に基づく画像が重畳された重畳画像に応じた重畳画像信号を生成し、投射部７は、重畳画像信号に応じた重畳画像を投射面１０に投射してもよい。
【００８１】
＜変形例７＞
投射部７では、光変調装置として液晶ライトバルブが用いられたが、光変調装置は液晶ライトバルブに限らず適宜変更可能である。例えば、光変調装置として、３枚の反射型の液晶パネルを用いた構成であってもよい。また、光変調装置は、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【００８２】
＜変形例８＞
表示装置としてプロジェクターが用いられたが、表示装置はプロジェクターに限らず適宜変更可能である。例えば、表示装置は、直視型のディスプレイ（液晶ディスプレイ、有機ＥＬ（Electro Luminescence）ディスプレイ、プラズマディスプレイ、ＣＲＴ（陰極線管）ディスプレイ等）であってもよい。
【００８３】
＜変形例９＞
処理部６がプロクラムを読み取り実行することによって実現される要素の全部または一部は、例えばＦＰＧＡ（field programmable gate array）またはＡＳＩＣ（Application Specific IC）等の電子回路によりハードウェアで実現されてもよいし、ソフトウェアとハードウェアとの協働により実現されてもよい。
【符号の説明】
【００８４】
１，２…入力端子、３…通信部、４…受付部、５…記憶部、６…処理部、６１…選択部、６２…画像処理部、６３…音処理部、６４…制御部。
【図１】
2018159847.tif 000003
【図２】
2018159847.tif 000004
【図３】
2018159847.tif 000005
【図４】
2018159847.tif 000006
【図５】
2018159847.tif 000007
【図６】
2018159847.tif 000008
【図７】
2018159847.tif 000009
【図８】
2018159847.tif 000010